(57)【特許請求の範囲】
【請求項１】
背部の一定範囲に砕石または砂礫が充填され、かつ盛土内に定着部とアンカー部とからＴ字状またはＬ字状に形成された鋼棒からなる盛土補強材が埋設される補強土構造物の壁体としてやぶれ目地となるように積層される補強土ブロックにおいて、表面フランジと背面フランジと当該表面フランジと背面フランジとの間に位置するウェブと当該ウェブの上端部に突設された突起部とから平面ほぼＨ形状またはＩ形状に一体に形成され、前記表面フランジは前記背面フランジより横長に形成され、少なくとも前記表面フランジとウェブの上端部に前記盛土補強材の定着部を挿入可能な定着溝がそれぞれの軸方向に連続し、かつ互いに連続して形成され、前記突起部はその上側に互いに隣接して積層された補強土ブロックの表面フランジと背面フランジとウェブ部とからなる空間部に嵌合可能に突設されてなることを特徴とする補強土ブロック。
【請求項２】
背部の一定範囲に砕石または砂礫が充填され、かつ盛土内に定着部とアンカー部とからＴ字状またはＬ字状に形成された鋼棒からなる盛土補強材が埋設される補強土構造物の壁体としてやぶれ目地となるように、かつ上段になるにつれて徐々に後退して積層される補強土ブロックにおいて、表面フランジと背面フランジと当該表面フランジと背面フランジとの間に位置するウェブと当該ウェブの上端部に突設された突起部とから平面ほぼＨ形状またはＩ形状に一体に形成され、前記表面フランジは前記背面フランジより横長に形成され、少なくとも前記表面フランジとウェブの上端部に前記盛土補強材の定着部が挿入される定着溝がそれぞれの軸方向に連続し、かつ互いに連続して形成され、前記突起部はその上側に互いに隣接して積層された補強土ブロックの表面フランジと背面フランジとウェブ部とからなる空間部に嵌合可能に、かつ前記背面フランジ側に後退した位置に突設されてなることを特徴とする補強土ブロック。
【請求項３】
複数の補強土ブロックをやぶれ目地となるように積層して壁体を構成し、当該壁体の背面側に盛土を充填し、かつ当該盛土内に鋼棒からなる盛土補強材を複数層に埋設してなる補強土構造物において、前記補強土ブロックは表面フランジと背面フランジと当該表面フランジと背面フランジとの間に位置するウェブと当該ウェブの上端部に突設された突起部とから平面ほぼＨ形状またはＩ形状に一体に形成され、前記表面フランジは前記背面フランジより横長に形成され、少なくとも前記表面フランジとウェブの上端部に前記盛土補強材の定着部が挿入された定着溝がそれぞれの軸方向に連続し、かつ互いに連続して形成され、前記突起部はその上側に互いに隣接して積層された補強土ブロックの表面フランジと背面フランジとウェブ部とからなる空間部に嵌合され、前記空間部および前記壁体の背部の一定範囲内に透水性を有する砂礫または砕石が充填され、かつ前記盛土補強材は前記定着溝に挿入された定着部と前記盛土内に埋設されたアンカー部とからＴ字状またはＬ字状に形成されてなることを特徴とする補強土構造物。
【請求項４】
複数の補強土ブロックをやぶれ目地となるように、かつ上段になるにつれて徐々に後退させて積層することにより壁体を構成し、当該壁体の背面側に盛土を充填し、かつ当該盛土内に鋼棒からなる盛土補強材を複数層に埋設してなる補強土構造物において、前記補強土ブロックは表面フランジと背面フランジと当該表面フランジと背面フランジとの間に位置するウェブと当該ウェブの前記背面フランジ側に後退した位置の上端部に突設された突起部とから平面ほぼＨ形状またはＩ形状に一体に形成され、前記表面フランジは前記背面フランジより横長に形成され、少なくとも前記表面フランジとウェブの上端部に前記盛土補強材の定着部が挿入された定着溝が形成され、前記突起部はその上側に互いに隣接して積層された補強土ブロックの表面フランジと背面フランジとウェブ部とからなる空間部に嵌合され、前記空間部および前記壁体の背部の一定範囲内に透水性を有する砂礫または砕石が充填され、かつ前記盛土補強材は前記定着溝に挿入された定着部と前記盛土内に埋設されたアンカー部とからＴ字状またはＬ字状に形成されてなることを特徴とする補強土構造物。
【請求項５】
盛土補強材の定着部は、隣接する複数の補強土ブロックの定着溝に連続して挿入されてなることを特徴とする請求項３または４記載の補強土構造物。
【発明の詳細な説明】
【０００１】
【発明の属する技術分野】
この発明は複数の補強土用ブロックを積層して壁体を構成し、この壁体の背面側に盛土を充填するとともに、この盛土内に盛土補強材を複数埋設して構築される補強土構造物およびこれに使用される補強土ブロックに関し、特に耐震性にすぐれたものとして開発されたものである。
【０００２】
【従来の技術及び発明が解決しようとする課題】
図１０（ａ），（ｂ）は、道路や敷地などに面して構築された補強土構造物の一例を示し、例えば図１０（ａ）の例においては、コンクリート製の擁壁パネル２０が複数段に積層され、その背部に盛土２１が充填され、さらに盛土２１内に鉄筋グリットや鋼材などからなる盛土補強材２２が複数層に埋設され、そして各盛土補強材２２の先端側２２ａは擁壁パネル２０にそれぞれ連結されている。
【０００３】
また、図１０（ｂ）の例においては、コンクリート製の擁壁ブロック２３が複数段に積層され、その背部に盛土２１が充填され、さらに盛土２１内に盛土補強材としてジオテキスタイル２４が複数層に埋設され、各ジオテキスタイル２４の先端側２４ａは上下擁壁ブロック２３，２３に挟み込んで連結されている。
【０００４】
また、擁壁ブロック２３は、安定性を高めるべく上段に移行するにつれて徐々に後退しながら積層されている。
【０００５】
【発明が解決しようとする課題】
しかし、図１０（ａ）の例において、擁壁パネル２０は、それ自体安定性がなく、盛土補強材２２を連結し、かつ盛土２１を転圧してはじめて自立するものであるため、施工中に変位してしまうおそれがあった。
【０００６】
一方、図１０（ｂ）の例においては、擁壁ブロック２３は直方体形に成形されていて安定性はあるものの、盛土２１との直接的な一体化が特になされていないだけでなく、上下擁壁ブロック２３，２３間の一体化もなされていないため、地震時に擁壁ブロック２３が横ずれを起こして壁面が崩れるおそれがあった。
【０００７】
特に、図示するような擁壁ブロック２３を用いた壁面は、擁壁ブロック２３が小型であるために地形の悪いところでも取り扱いが容易で施工性がよいことが長所であるが、一方ですべての擁壁ブロック２３にジオテキスタイル２４を連結したのでは、ジオテキスタイル２４を大量に要して設計上不経済なものとなるだけでなく、施工性も悪い。
【０００８】
このため、経済施工および効率的施工からすれば、ジオテキスタイル２４の連結されていない擁壁ブロック２３が適当に積層されていることが望ましく、ジオテキスタイル２４の連結されていない擁壁ブロック２３が適当に混在した状態で、全体として一体の壁面を形成することができれば、不均質な土圧が作用したり、あるいは地震にあっても目地部でわずかの変位を許容するだけで、応力集中をを避けることができて、きわめて安定した補強土構造を構築できる。
【０００９】
また、特に図１０（ａ）の例において、擁壁パネル２０は剛体である一方、盛土２１は時間の経過とともに徐々に沈下することから、盛土２０の沈下とともに盛土補強材２２を介して擁壁パネル２０に応力集中が生じて擁壁パネル２０にひび割れが発生したり、横ずれを起こすことがあり、さらに施工の面においても擁壁パネル２０は非常に大きく、しかも非常に重くて施工性がわるい等の課題があった。
【００１０】
この発明は、以上の課題を解決するためになされたもので、特に地震や盛土の自然沈下などで擁壁ブロックが横ずれしたりするようなことがなく、安定性にすぐれた補強構造物およびこれに使用される補強土ブロックを提供することを目的とする。
【００１１】
【課題を解決するための手段】
請求項１記載の補強土ブロックは、背部の一定範囲に砕石または砂礫が充填され、かつ盛土内に定着部とアンカー部とからＴ字状またはＬ字状に形成された鋼棒からなる盛土補強材が埋設される補強土構造物の壁体としてやぶれ目地となるように積層される補強土ブロックにおいて、表面フランジと背面フランジと当該表面フランジと背面フランジとの間に位置するウェブと当該ウェブの上端部に突設された突起部とから平面ほぼＨ形状またはＩ形状に一体に形成され、前記表面フランジは前記背面フランジより横長に形成され、少なくとも前記表面フランジとウェブの上端部に前記盛土補強材の定着部を挿入可能な定着溝がそれぞれの軸方向に連続し、かつ互いに連続して形成され、前記突起部はその上側に互いに隣接して積層された補強土ブロックの表面フランジと背面フランジとウェブ部とからなる空間部に嵌合可能に突設されてなることを特徴とするものである。
【００１２】
請求項２記載の補強土ブロックは、背部の一定範囲に砕石または砂礫が充填され、かつ盛土内に定着部とアンカー部とからＴ字状またはＬ字状に形成された鋼棒からなる盛土補強材が埋設される補強土構造物の壁体としてやぶれ目地となるように、かつ上段になるにつれて徐々に後退して積層される補強土ブロックにおいて、表面フランジと背面フランジと当該表面フランジと背面フランジとの間に位置するウェブと当該ウェブの上端部に突設された突起部とから平面ほぼＨ形状またはＩ形状に一体に形成され、前記表面フランジは前記背面フランジより横長に形成され、少なくとも前記表面フランジとウェブの上端部に前記盛土補強材の定着部が挿入される定着溝がそれぞれの軸方向に連続し、かつ互いに連続して形成され、前記突起部はその上側に互いに隣接して積層された補強土ブロックの表面フランジと背面フランジとウェブ部とからなる空間部に嵌合可能に、かつ前記背面フランジ側に後退した位置に突設されてなることを特徴とするものである。
【００１３】
請求項３記載の補強土構造物は、複数の補強土ブロックをやぶれ目地となるように積層して壁体を構成し、当該壁体の背面側に盛土を充填し、かつ当該盛土内に鋼棒からなる盛土補強材を複数層に埋設してなる補強土構造物において、前記補強土ブロックは表面フランジと背面フランジと当該表面フランジと背面フランジとの間に位置するウェブと当該ウェブの上端部に突設された突起部とから平面ほぼＨ形状またはＩ形状に一体に形成され、前記表面フランジは前記背面フランジより横長に形成され、少なくとも前記表面フランジとウェブの上端部に前記盛土補強材の定着部が挿入された定着溝がそれぞれの軸方向に連続し、かつ互いに連続して形成され、前記突起部はその上側に互いに隣接して積層された補強土ブロックの表面フランジと背面フランジとウェブ部とからなる空間部に嵌合され、前記空間部および前記壁体の背部の一定範囲内に透水性を有する砂礫または砕石が充填され、かつ前記盛土補強材は前記定着溝に挿入された定着部と前記盛土内に埋設されたアンカー部とからＴ字状またはＬ字状に形成されてなることを特徴とするものである。
【００１４】
この場合の補強土ブロックとしては、そのままでも安定して自立できるような、例えば平面Ｈ形状またはＩ形状に形成されている。また、無筋コンクリート、鉄筋コンクリート、あるいは鋼繊維、炭素繊維などを使用した繊維補強コンクリートで形成することができる。
【００１５】
定着溝が設けられている態様としては、表面フランジとウェブの上端部にそれぞれその軸方向に連続し、かつ互いに連通して設けられている場合、背面フランジの上端部にその軸方向に連続して設けられている場合、さらに表面フランジ、背面フランジおよびウェブの上端部にそれぞれその軸方向に連続し、かつ互いに連通して設けられている場合などがある。
【００１６】
また、突起部がこのような態様で設けられていることで、補強土ブロックを積層する際、上段になるにつれて徐々に後退させながら積層することができる。また、この場合の突起部の位置を盛土の地質に応じて適当に変えることで、補強土ブロックを積層して形成される壁面の傾きを自由に設定することができる。
【００１７】
請求項４記載の補強土構造物は、複数の補強土ブロックをやぶれ目地となるように、かつ上段になるにつれて徐々に後退させて積層することにより壁体を構成し、当該壁体の背面側に盛土を充填し、かつ当該盛土内に鋼棒からなる盛土補強材を複数層に埋設してなる補強土構造物において、前記補強土ブロックは表面フランジと背面フランジと当該表面フランジと背面フランジとの間に位置するウェブと当該ウェブの前記背面フランジ側に後退した位置の上端部に突設された突起部とから平面ほぼＨ形状またはＩ形状に一体に形成され、前記表面フランジは前記背面フランジより横長に形成され、少なくとも前記表面フランジとウェブの上端部に前記盛土補強材の定着部が挿入された定着溝が形成され、前記突起部はその上側に互いに隣接して積層された補強土ブロックの表面フランジと背面フランジとウェブ部とからなる空間部に嵌合され、前記空間部および前記壁体の背部の一定範囲内に透水性を有する砂礫または砕石が充填され、かつ前記盛土補強材は前記定着溝に挿入された定着部と前記盛土内に埋設されたアンカー部とからＴ字状またはＬ字状に形成されてなることを特徴とするものである。
【００１８】
請求項５記載の補強土構造物は、請求項３または４記載の補強土構造物において、盛土補強材の定着部は、隣接する複数の補強土ブロックの定着溝に連続して挿入されてなることを特徴とするものである。
【００２０】
【発明の実施の形態】
発明の実施の形態１．
図１〜図３は、この発明に係る補強土構造物および補強土ブロックの一例を示し、図において、符号１は複数段に積層され、擁壁の壁体Ａを構成する補強土ブロック（以下、「擁壁ブロック」という）、２は壁体Ａの背面側に充填された盛土、そして符号３は盛土２内に複数層に埋設され、盛土２の安定を図るとともに擁壁ブロック１を盛土２の先端に固定している盛土補強材である。
【００２１】
擁壁ブロック１は、例えば図３（ａ），（ｂ）に図示するように表面フランジ１ａとその背面側（盛土２側）に表面フランジ１ａとほぼ平行に配置された背面フランジ１ｂ、さらにこの表面フランジ１ａと背面フランジ１ｂとの間に配置されたウェブ１ｃとこのウェブ１ｃの上端部に突設された突起部１ｄとから一体に形成されている。
【００２２】
また、擁壁ブロック１は無筋コンクリート、鉄筋コンクリートあるいは炭素繊維などの補強繊維が混練された繊維補強コンクリート等からそのままでもきわめて安定して自立できるような、例えば平面ほぼＨ形状（またはＩ形状）に形成されている。
【００２３】
表面フランジ１ａは、背面フランジ１ｂより横長に形成され、また表面フランジ１ａと背面フランジ１ｂの両端には表面フランジ１ａ側から背面フランジ１ｂ側（盛土２側）に先細りとなるようなテーパが形成され、さらに表面フランジ１ａ、背面フランジ１ｂおよびウェブ１ｃはいずれも、十分な剛性を保持すべく一定の厚さに形成されている。
【００２４】
また特に、突起部１ｄの縦寸法Ｌ（ウェブ１ｃの軸方向の寸法）は、表面フランジ１ａと背面フランジ１ｂ間の内法寸法Ｗより小さく、かつ突起部１ｄの表面フランジ１ａ側の端部が背面フランジ１ｂ側にＳ寸法だけ後退した位置から突設されている。
【００２５】
このように形成された擁壁ブロック１は、盛土２の先端に横方向に互いに隣接し、かつ上下方に複数段に積層され、これに伴い各段の横方向に隣接する擁壁ブロック１，１間には双方の表面フランジ１ａと背面フランジ１ｂとウェブ１ｃとからなる空間部４がそれぞれ形成されている。
【００２６】
また、擁壁ブロック１は横方向に隣接する表面フランジ１ａ，１ａ間の目地部ａが上下方向に連続しないで左右に交互にずれる、いわゆる「やぶれ目地」になるように積層され、これに伴い各擁壁ブロック１の突起部１ｄが、その上側に積層された擁壁ブロック１，１間の空間部４に嵌合されている。
【００２７】
さらに、突起部１ｄの表面フランジ１ａ側の端部が背面フランジ１ｂ側にＳ寸法だけ後退した位置から突設されていることにより、上段に移行するにつれて各擁壁ブロック１はＳ寸法ずつ盛土２側に後退して積層されている。
【００２８】
盛土補強材３は盛土２内に複数層に埋設され、その先端側の定着部３ａは擁壁ブロック１の背面フランジ１ｂにアンカー金具５を介して定着されている。この場合、盛土補強材３は擁壁ブロック１の段数に対応した数が埋設されているのではなく、数段おきに（少ないほうがよい）埋設され、定着部３ａは例えば図２（ａ）に図示するように同一レベルに積層された擁壁ブロック１の背面フランジ１ｂの背面部、あるいは図２（ｄ）に図示するように背面フランジ１ｂの上端面部に定着されている。
【００２９】
アンカー金具５は図示するように、擁壁ブロック１の背面フランジ１ｂの背面部または上端面部にそれぞれ取り付けられているが、アンカー金具５として帯鋼などが隣接する複数の擁壁ブロック１、１間に水平に架け渡されていてもよく、これに盛土補強材３の定着部３ａを定着するようにすれば、盛土補強材３の定着と隣接する複数の擁壁ブロック１、１間の連結とを同時に行うことができる。
【００３０】
また、アンカー金具５に盛土補強材３を上下方向に自由に回転できるように連結すれば、盛土２の自然沈下に盛土補強材３を追従させることができるため、盛土２の自然沈下による盛土補強材３の破断を未然に防止することができる。
【００３１】
盛土補強部材３としては、例えば帯鋼（帯状補強材）や形鋼などの鋼材の他、鉄筋などの鋼棒、鉄筋グリット、あるいはジオグリッドやジオテキスタイル等が布設されており、また盛土補強部材３は盛土２内に複数層に埋設され、かつ各擁壁ブロック１の一つ一つに、または適当な位置の擁壁ブロック１の背面フランジ１ｂにアンカー金具５を介して定着されている。
【００３２】
盛土補強材３として特に、ジオグリッドやジオテキスタイルが埋設されている場合には、例えば図２（ｂ）図示するようにその先端部分を上下擁壁ブロック１，１間に挟んで定着されていてもよい。
【００３３】
この場合の盛土補強材３の先端側は、下側擁壁ブロック１の突起部１ｄによって上側擁壁ブロック１の空間部４内に押し込まれた状態に定着されるので、盛土補強材３の先端側を上下擁壁ブロック１，１間に確実にしかもきわめて簡単に定着することができる。
【００３４】
また、盛土補強材３としてのジオグリッドやジオテキスタイルの先端側を横方向に隣接する複数の上下擁壁ブロック１、１間に挟み込むことにより、横方向に隣接する擁壁ブロック１どうしを同時に連結することができる。
【００３５】
なお、盛土補強材３は、各段の擁壁ブロック１に作用する盛土２からの土圧に対して充分な引き抜き抵抗力が得られれば、格段ごとに布設されるる必要はなく、複数段おきに布設されていてもよい。むしろ、盛土補強材３は少ないほうが経済的であり、また盛土２の転圧に際して邪魔にならず、施工する上でも転圧がしやすく望ましい。
【００３６】
通常、盛土補強材３の設置間隔は0.5 〜1.5 ｍ間隔程度がよい。複数の擁壁ブロック１がこのように積層されていることで、擁壁ブロック１の横ずれが確実に防止される。
【００３７】
また、各段の擁壁ブロック１の各空間部４内には、盛土２が入念に転圧して充填されていることで、各擁壁ブロック１の背面フランジ１ｂとウェブ１ｃが盛土２内に埋め込まれ、これにより擁壁ブロック１と盛土２との一体化も確実に図られている。
【００３８】
なお、この場合、各擁壁ブロック１の空間部４内および擁壁ブロック１の背部の一定範囲Ｒ（３０ｃｍ前後）内に、盛土２として透水性にすぐれた砂礫または砕石が充填されていれば、表層部の透水性がよくなり、盛土の自然流失を低減することができるだけでなく、昆虫類などの生物の生息空間を提供できる。
【００３９】
さらに、擁壁ブロック１と砂礫材と盛土補強材３とが一体となって全体が一体化し、これにより背面の土圧や地震に対して抵抗し得る。
また、例えば図２（ｃ）に図示するように、上下擁壁ブロック１どうしが鉄筋などからなる連結棒６によって連結されていれば、擁壁ブロック１の横ずれを確実に阻止でき、また盛土２側からの土圧で擁壁ブロック１が前に押し出されるようなことも確実に阻止できる。この場合の連結棒６は、上下擁壁用ブロック１の表面フランジ１ａの下端面と上端面に形成された孔に挿入されている。
【００４０】
このように構成されていることで、地震などで擁壁ブロック１がずれて壁面が変位したり、一部の擁壁ブロック１が崩れたりするのを確実に防止でき、また擁壁ブロック１の背面側に充填された盛土２が移動して弛む等といった事態も防止することができる。
【００４１】
なお、表面フランジ１ａの表面は、原則として平坦に形成されているが、必要に応じて凸曲面状に形成されていてもよい。
また、擁壁ブロック１としては、運搬などの取り扱い易さ、施工性などを考慮すると、通常高さが２０〜１５０ｃｍ、幅が３０〜１００ｃｍ、奥行きが２０〜６０ｃｍ程度、さらに重さが２０〜１５０Ｋｇ程度に形成されているのが望ましい。
【００４２】
発明の実施の形態２．
図４〜図９は、この発明に係る補強土構造物および補強土用ブロックの他の一例を示し、特に各擁壁ブロック１の表面フランジ１ａとウェブ１ｃおよび／または背面フランジ１ｂの上端部に定着用溝１ｅがそれぞれの軸方向に連続し、かつ互いに連続して形成され、他の部分は図１〜図３の例で説明した擁壁ブロックとほぼ同じである。
【００４３】
例えば、図４と図５の例においては、定着溝１ｅは各擁壁ブロック１の表面フランジ１ａとウェブ１ｃの上端部にそれぞれの軸方向に連続し、かつ互いに連続して形成されている。
【００４４】
また、図６と図７の例においては、定着溝１ｅは各擁壁ブロック１の背面フランジ１ｂの上端部にその軸方向に連続して形成され、さらに図８と図９の例においては、定着溝１ｅは各擁壁ブロック１の表面フランジ１ａ、ウェブ１ｃおよび背面フランジ１ｂの上端部にそれぞれの軸方向に連続し、かつ互いに連続して形成されている。
【００４５】
なお、いずれの例においても、定着溝１ｅの背面フランジ１ｂ側の端部は背面フランジ１ｂの中央を盛土２側に貫通している。また、図７と図９の例においては、背面フランジ１ｂの上端部に定着溝１ｅから盛土２側に貫通する複数の定着溝１ｆが背面フランジ１ｂの軸方向に所定間隔おきに複数形成されている。
【００４６】
盛土補強材３は、各擁壁ブロック１の表面フランジ１ａおよびウェブ１ｃの定着溝１ｅに水平に挿入されている定着部３ａと、盛土２内に奥深く水平に埋設されているアンカー部３ｂとから略Ｌ字状またはＴ字状に形成され、例えば丸鋼や異形棒鋼などの鉄筋で形成されている。
【００４７】
盛土補強材３の定着部３ａが定着溝１ｅに連続して挿入されていることで、盛土補強材３は上側の擁壁ブロック１の重量で拘束され、しかも定着溝１ｅ内の周面との摩擦によって引き抜かれる心配がなく、補強部材３をきわめて簡単な構造で擁壁ブロック１に確実・強固に定着することができる。
【００４８】
また、盛土２による土圧の大きさに応じて、盛土補強材３の定着部３ａを横方向に隣接する２〜３個、あるいはそれ以上の擁壁ブロック１（表面フランジ１ａ）の定着溝１ｅに跨がって挿入されていることで、定着力をさらに高めることができる。
【００４９】
このように定着部３ａが、盛土２による土圧の大きさに応じて必要な長さに形成されていることで、横方向に隣接する複数の擁壁ブロック１どうしを互いに連結できるとともに、一本の盛土補強材３で複数の擁壁ブロック１を固定することができて、きわめて経済的であり、また施工性が著しく増す。
【００５０】
また、盛土補強材３の径、アンカー部３ｂの長さ等は、盛土２の種類、盛土２側から壁体Ａが受ける土圧の大きさ等に基いて決められている。
なお、特にアンカー部３ｂは、例えば図１や図４（ａ）に図示するように定着溝１ｅに挿入されている定着部３ａとそれより後方の盛土２内に埋設されている定着部３ｂを別々に形成し、両者をターンバックル７で一つ部材に連結して形成されたものでもよく、こうすることでアンカー部３ｂの長さを自由に調整できるだけでなく、定着溝１ｅに挿入されている定着部３ａのみを丸鋼などの鉄筋で形成し、盛土２内に埋設されているアンカー部３ｂは鉄筋グリット、あるいは帯鋼や形鋼などの他の部材で形成することができる。
【００５１】
また、定着部３ａは定着溝１ｅ内で安定しているため、その上側に位置する擁壁ブロック１が土圧による応力集中で前にずれても、その下側の擁壁ブロック１の定着溝１ｅ内の定着部３ａは連結されたままで、破壊されることがなく、むしろ擁壁ブロック１が前に移動することで土圧による応力集中を緩和して安定した土留め擁壁を保ち続けることができる。
【００５２】
特に図７（ａ）および図８（ｂ）は、盛土補強材の他の例を示し、盛土補強材３は、表面フランジ１ａおよびウェブ１ｃの定着溝１ｅに水平に挿入されている定着部３ａと、それより後方側の盛土２内に奥深く水平に埋設されているアンカー部３ｂとから略Ｔ字状に形成されている。
【００５３】
定着部３ａは、擁壁ブロック１の隣接する両方向に水平に伸び、１個の擁壁ブロック、あるいは横方向に隣接する２〜３個、あるいはそれ以上の擁壁ブロック１（表面フランジ１ａ）の定着溝１ｅに跨がって挿入されている。
【００５４】
このように盛土補強材３がＬ字状またはＴ字状に形成されていることで、鉄筋などを折り曲げるだけで簡単に形成でき、また布設も簡単にできるためきわめて経済的であり、施工性もよい。
【００５５】
さらに、盛土補強材３は、全ての擁壁ブロック１のそれぞれに連結される必要はなく、擁壁ブロック１に作用する盛り土２の土圧に対して充分な引き抜き抵抗力が得られれば、複数段おきに設置されていてもよい。
【００５６】
むしろ、補強部材３は少ないほうが経済的であり、また盛土２の転圧に際して邪魔にならず、施工する上でも好ましい。通常、補強部材３の設置間隔は0.5 〜1.5 ｍ間隔程度が好ましい。
【００５７】
また、図７と図９に図示する擁壁ブロックを使用すれば、例えば図７（ｂ）に図示するように、格子鉄筋または鉄筋グリットなどを盛土補強材３として布設することができる。
【００５８】
この場合の盛土補強材３は、横鉄筋３ｃを各擁壁ブロック１の背面フランジ１ｂの上端に形成された定着溝１ｅに、縦鉄筋３ｄを定着溝１ｆにそれぞれ挿入されていることで擁壁ブロック１に連結されている。
【００５９】
その際、盛土補強材３は１個の擁壁ブロック１につき一個ずつ取り付けられていてもよいが、隣接する２ないし３個、あるいはそれ以上の擁壁ブロック１に跨がって一枚の盛土補強材３が取り付けられていれば、盛土補強材３を布設すると同時に隣接する複数の擁壁ブロック１どうしを互いに連結できる。
【００６０】
【発明の効果】
この発明は以上説明したとおりであり、特に補強土ブロックが表面フランジと背面フランジとこの両者間に配置されたウェブとこのウェブの上端部に突設された突起部とから成形されていることで、積層された際に横方向に隣接する補強土ブロック間に、双方の表面フランジと背面フランジとウェブとからなる空間部がそれぞれ形成され、この空間部内にその下側に位置する各補強土ブロックの突起部がそれぞれ嵌合されているため、上下補強土ブロック間の横ずれ等を防止するこができ、また空間部内に盛り土を充填することにより、各補強土ブロックの背面フランジとウェブを盛り土内に埋め込んで固定することができ、これにより補強土ブロックと盛土との一体化を図ることができ、地震の際にもきわめて安定した補強土構造物を構築できる。
【００６１】
また、盛土内に鉄筋などからなる盛土補強材が複数層に埋設され、かつその一端側が補強土ブロックの表面フランジ等の上端部に形成された定着溝に水平に挿入して定着されているので、補強土ブロックを簡単に固定することができる。
【００６２】
また、盛土補強材の一端側を横方向に隣接する２〜３個、あるいはそれ以上の補強ブロックの定着溝に跨がって定着することにより、一本の盛土補強材で横方向に隣接する複数の補強土ブロックどうしを連結し、かつ固定することができるため、施工性と経済性ともにすぐれている。
【００６３】
また、盛土補強材は、各補強土ブロックの定着溝に定着されていることで、上下補強土ブロックの接触面に大きな摩擦抵抗が得られることにより、上下補強土ブロックは大きな土圧を受けても簡単に崩れることはなく、この点からもきわめて安定した補強土構造物を構築できる。
【図面の簡単な説明】
【図１】道路などに面し、擁壁として構築された補強土構造物の一部斜視図である。
【図２】補強土構造物および擁壁ブロックの一例を示し、（ａ）〜（ｃ）は道路などに面して構築された擁壁の一部縦断面図、（ｄ）は擁壁ブロックの一例を示す斜視図である。
【図３】擁壁ブロックの一例を示し、（ａ）はその平面図、（ｂ）、（ｃ）は斜視図である。
【図４】補強土構造物および擁壁ブロックの一例を示し、（ａ）は道路などに面して構築された擁壁の一部斜視図、（ｂ）はその縦断面図である。
【図５】擁壁ブロックと盛土補強材の一例を示し、（ａ）は擁壁ブロックの平面図、（ｂ）は擁壁ブロックと盛土補強材の斜視図である。
【図６】補強土構造物および擁壁ブロックの一例を示し、（ａ）は道路などに面して構築された擁壁の一部斜視図、（ｂ）はその縦断面図である。
【図７】擁壁ブロックと盛土補強材の一例を示し、（ａ）は擁壁ブロックの平面図、（ｂ）は擁壁ブロックと盛土補強材の斜視図である。
【図８】補強土構造物および擁壁ブロックの一例を示し、（ａ）は道路などに面して構築された擁壁の一部斜視図、（ｂ）はその縦断面図である。
【図９】擁壁ブロックと盛土補強材の一例を示し、（ａ）は擁壁ブロックの平面図、（ｂ）は擁壁ブロックと盛土補強材の斜視図である。
【図１０】（ａ），（ｂ）はともに擁壁の従来例を示す縦断面図である。
【符号の説明】
Ａ  壁体
１  擁壁ブロック（補強土用ブロック）
１ａ  表面フランジ
１ｂ  背面フランジ
１ｃ  ウェブ
１ｄ  突起部
１ｅ  定着溝
１ｆ  定着溝
２  盛土
３  盛土補強材
３ａ  定着部
３ｂ  アンカー部
３ｃ  横鉄筋
３ｄ  縦鉄筋
４  空間部
５  アンカー金具
６  連結棒
７  ターンバックル
【図１】
0003539724.tif 000002
【図２】
0003539724.tif 000003
【図３】
0003539724.tif 000004
【図４】
0003539724.tif 000005
【図５】
0003539724.tif 000006
【図６】
0003539724.tif 000007
【図７】
0003539724.tif 000008
【図８】
0003539724.tif 000009
【図９】
0003539724.tif 000010
【図１０】
0003539724.tif 000011